(57)【要約】【課題】  保護スリーブやメカニカルスプライス等の装着器を筐体内に確実に保持する。【解決手段】  筐体内に収納されるトレイ部６には導入された光ケーブル４ａに装着されている保護スリーブやメカニカルスプライス等の装着器４７を保持する保持部４６が形成されている。この保持部４６は平板状の壁部と、壁部に対面する弓形形状の保持片とにより構成され、保持片の略中央部の下部がトレイ部６に弾性的に支持されている。装着器４７は、弓形形状の保持片により十分な押圧力で壁部に押圧されて保持される。【選択図】  図６
2005189438.tif 000002
【特許請求の範囲】
【請求項１】
光ケーブルにより伝達された光信号を電気信号に変換して出力する光受信部を少なくとも有する電子回路ユニットと、
該電子回路ユニットに電源を供給する電源ユニットと、
前記電子回路ユニットと前記電源ユニットが取り付けられているシャーシと、
前記電子回路ユニットおよび前記電源ユニットの上に配置されると共に、導入された前記光ケーブルの余長部を収納する余長収納部が形成されているトレイ部と、
前記電子回路ユニットと前記電源ユニットが取り付けられている前記シャーシと前記トレイ部を収納する本体部と、該本体部に対して開閉自在に固着される蓋部とからなる筐体とを備え、
前記トレイ部には前記光ケーブルに装着されている細長い装着器を保持する保持部が形成されており、該保持部は壁部と該壁部に対面する板状の保持片から構成され、前記壁部と前記保持片の間に前記装着器を配置した際に、前記保持片により前記装着器が前記壁部に弾性的に押圧されて保持されるようにしたことを特徴とする光端末装置。
【請求項２】
前記保持部における前記保持片が弓形形状に形成されており、前記保持片の両側部とされる翼片により前記装着器が前記壁部に押圧されることを特徴とする請求項１記載の光端末装置。
【請求項３】
前記壁部と対面する弓形形状とされた前記保持片の面との間隔が、下に行くほど広くなるように前記保持片が形成されていることを特徴とする請求項２記載の光端末装置。
【請求項４】
前記保持片における両端部に前記壁部側に屈曲されている屈曲片がそれぞれ形成されていることを特徴とする請求項１記載の光端末装置。
【請求項５】
前記壁部側に屈曲されている前記屈曲片が、下に行くほど前記壁部との間隔が広くなるように形成されていることを特徴とする請求項４記載の光端末装置。
【請求項６】
前記保持片の幅が、ほぼ中央部から前記屈曲片に向かって次第に狭くなるように形成されていることを特徴とする請求項４記載の光端末装置。
【発明の詳細な説明】
【技術分野】
【０００１】
本発明は、光信号を電気信号に変換する電子回路部および電源部を筐体内に内蔵する光端末装置に関するものである。
【背景技術】
【０００２】
近年、高速高帯域通信サービスの普及に伴い、家庭と送信局との間を光ケーブルで接続する通信サービス、例えば、光ケーブルテレビジョン（ＣＡＴＶ）が実施されている。この通信サービスの実現には、光ケーブルからの光信号を光−電気信号変換して増幅し、増幅された周波数多重信号をセットトップボックスや同軸のＣＡＴＶ線路に供給するための光端末装置が必要となる。この光端末装置の筐体内には、導入される光ケーブルの余長を収納する余長収納部と、導入された光ケーブルからの光信号を電気信号に変換し、増幅して出力する光受信部が設けられている。そして、この光受信部に電源を供給する電源部が光端末装置の筐体に内蔵されている。
【発明の開示】
【発明が解決しようとする課題】
【０００３】
このような光端末装置には、光信号を入力するために光ケーブルが導入されており、この光ケーブルは光受信部に導かれている。この場合、光端末装置の筐体内において光ケーブルにおける光ファイバ同士の接続を行う場合がある。この光ファイバ同士の接続が光ファイバの端面同士を融着して行われる場合は、融着部を保護する保護スリーブが融着部に装着される。また、光ファイバの端面を位置合わせして固定するメカニカルスプライスにより光ファイバを接続することができる。また、光ファイバに挿入される光フィルタには、光フィルタを保護する保護スリーブが装着されている。このような保護スリーブやメカニカルスプライスは、光ケーブルの余長部と共に筐体内に収納される。保護スリーブやメカニカルスプライスは、光ケーブルより径が太く細長い形状とされており光ケーブルに比較して重いため、筐体内で動かないように保持しておかないと動いた際に光ケーブルが屈曲されて傷むおそれが生じるという問題点があった。
【０００４】
そこで、本発明は、保護スリーブやメカニカルスプライス等の装着器を筐体内に確実に保持することのできる光端末装置を提供することを目的としている。
【課題を解決するための手段】
【０００５】
上記目的を達成するために、本発明の光端末装置は、保護スリーブやメカニカルスプライス等の装着器を保持する保持部が壁部と該壁部に対面する保持片から構成され、壁部と保持片の間に装着器を配置した際に、保持片により装着器が壁部に弾性的に押圧されて保持されることを最も主要な特徴としている。
【発明の効果】
【０００６】
本発明によれば、保護スリーブやメカニカルスプライス等の装着器を保持する保持部が壁部と該壁部に対面する保持片から構成され、壁部と保持片の間に装着器を配置した際に、保持片により装着器が壁部に弾性的に押圧されて保持されるようにしたので、装着器を筐体内に確実に保持することができる。また、保持片を弓形形状に形成したり、保持片の面と壁部との間隔が下に行くほど広くなるように保持片を形成すると、保持部の保持力をより向上することができる。さらに、保持片の両端部に壁部側に屈曲する屈曲片を形成したり、中央部から屈曲片に向かって次第に幅が狭くなるように保持片を形成するようにしてもよい。
【発明を実施するための最良の形態】
【０００７】
保護スリーブやメカニカルスプライス等の装着器を筐体内に確実に保持するという目的を、装着器を保持する保持部が壁部と該壁部に対面する保持片から構成され、壁部と保持片の間に装着器を配置した際に、保持片により装着器が壁部に弾性的に押圧されて保持されることにより実現した。
【０００８】
本発明にかかる光端末装置の実施例の構成を示す斜視図を図１に、その光端末装置の構成を示す側面図を断面図で図２に示す。
これらの図に示す本発明にかかる光端末装置１の筐体は、箱状の本体部２と、本体部２に対して開閉自在に固着される蓋部３とから構成されている。筐体である本体部２および蓋部３は樹脂を成形することにより作成されており、蓋部３の上部の両側に形成されている一対の保持片２１が本体部２に形成されている後述する枢軸に回動可能に枢支されて、蓋部３が本体部２に対して開閉自在に固着されている。蓋部３を本体部２に対して閉じた際には、蓋部３から複数本のネジを本体部２に螺着して防雨構造の筐体が構成される。この場合、蓋部３における対向する側面部の下縁が本体部２の対向する側面部の縁部に嵌入されるようになる。本体部２には、図２に示すように電子回路ユニット３１と、電子回路ユニット３１に電源を供給する電源ユニット３２が内蔵されている。電子回路ユニット３１および電源ユニット３２は金属製のシャーシ３０に取り付けられて、本体部２内に収納されている。シャーシ３０の裏面と本体部２とは図２に示すように全面にわたり所定の間隔を保って対面するように配置されて通路が形成されている。
【０００９】
本体部２内に内蔵されている電子回路ユニット３１と電源ユニット３２の上には樹脂成形されたトレイ部６が配置されている。このトレイ部６は光端末装置１に導入された光ケーブル４ａおよび光ケーブル４ｂの導入部および余長収納部が形成されている。光ケーブルの余長部を収納する余長収納部を設けるのは次の理由による。光ケーブル長に余裕を持たせる余長部を設けることによって、光ケーブルを長く延ばすような接続変更等にそのまま対応することができる。また、光ケーブルの接続作業で低損失接続が得られなかった場合に、光ケーブルの接続端を切断してやり直しすることができる。さらに、保守作業等で光ケーブルを傷めた場合でも損傷部分までを切断して再接続を可能とすることができる。なお、光ケーブルは、曲げすぎると伝送特性が劣化し極端な場合には破断されるため、光ケーブルの余長は、所定の曲げ半径を保つようにして余長収納部に収納されている。光ケーブルにはメッセンジャワイヤーや複数本の光ファイバーを束ねた太い光ケーブル４ａと、単線の光ファイバーからなる細い光ケーブル４ｂとがあり、本発明にかかる光端末装置１には両種類の光ケーブルを導入することができるようにされている。
【００１０】
本発明にかかる光端末装置１は、図２に示すように直立して設置するようにされている。この場合、本体部２の上部に底面部から取付片１５ａが上方へ延伸して形成されており、本体部２の下部に底面部から一対の取付片１５ｂ、１５ｃが下方へ延伸して形成されている。そこで、光端末装置１を直立させて取付面に対向して配置し、これらの取付片１５ａ、１５ｂ、１５ｃにネジを挿通して取付面に螺着することにより取付面に光端末装置１を設置する。これらの取付片１５ａ、１５ｂ、１５ｃは、底面部よりさらに奥側に突出して形成されているため、設置された光端末装置１の底面部と取付面との間に所定の間隔が生じるようになる。このように直立して設置された光端末装置１における本体部２において下側に位置する側面部の前側に複数の第１通風口１１が形成されており、奥側に複数の第２通風口１２が形成されている。また、この側面部には電子回路ユニット３１に一体に設けられている２つの同軸端子１４が突出する同軸端子孔が形成されていると共に、光ケーブルを導入する２つのケーブル導入孔１３ａ、１３ｂが左側と右側に形成されている。また、本体部２において上側に位置する側面部には蓋部３が重合するように配置されており、両者の間に形成された間隙により通風口２０が形成されている。さらに、本体部２における底面部の下部には図２に示すように複数の底面通風口１６が形成されている。さらにまた、下側に位置する側面部には電源ユニット３２に商用交流を供給するための導入孔が形成されて、この導入孔から電源ケーブル５が導入されている。
【００１１】
このような構成の光端末装置１において、電源ユニット３２から電源が供給されて動作している電子回路ユニット３１は、動作に伴い発熱すると共に電源ユニット３２も発熱するようになる。すると、シャーシ３０が発熱するようになりシャーシにより暖められた空気は上昇して上部に位置する通風口２０から排気されるようになる。この破線で示す経路ａにより、第２通風口１２および底面通風口１６から筐体内部に空気が吸気されるようになり、吸気された空気はシャーシ３０の裏面と本体部２における底面部とで形成された通路に進入してシャーシ３０の熱を奪って放熱を助けるようになる。また、第１通風口１１から筐体内に破線で示す経路ｂで進入した空気はトレイ部６と蓋部３との間の間隙を通り、経路ａからの空気と共に第３通風口２０から排出されるようになる。このような、経路ａおよび経路ｂによる吸排気により筐体内の熱を排気することができ、発熱が電子回路ユニット３１に悪影響を与えることを防止することができるようになる。
【００１２】
ここで、本体部２における底面部の上部を一部切り欠いた際の本発明にかかる光端末装置１の構成を示す斜視図を図３に示す。
この図に示すように、底面部２ｅの内側には一対の立設片１８が本体部２の長辺に略平行に上側の側面部から下側の側面部に渡り形成されている。一対の立設片１８は、それぞれ両側板部の近傍に形成されており、一対の立設片１８の間には多数の放熱孔１７が底面部２ｅに形成されている。一対の立設片１８にはシャーシ３０の裏面が当接されるか、あるいは若干の間隔を持って対面して、底面部２ｅとシャーシ３０との間に通路が形成されるようになる。この場合、光端末装置１が屋外に設置されることから放熱孔１７から雨水が内部に浸入しても一対の立設片１８とシャーシ３０とによりそれ以上の浸入を防止することができる。さらに、底面部２ｅの下部には３つの細長い底面通風口１６が形成されている。さらにまた、光端末装置１を設置した取付面と底面部２ｅとは底面部２ｅの下部から突出するように形成されている取付片１５ｂ、１５ｃの高さ分だけ離隔されるため、底面通風口１６および放熱孔１７から十分な空気を取り入れることができる。
【００１３】
次に、本体部２に対して蓋部３を開けた状態の光端末装置１の構成を示す斜視図を図４に示す。ただし、この図では導入される光ケーブルを省略して示している。
本体部２に対して蓋部３を開けると、本体部２に収納されているトレイ部６が見える状態となる。蓋部３の両側の側面部の下部には横方向に張り出す当接部が形成されており、その下の下縁は若干薄く形成されている。この下縁が、蓋部３を閉じた際に本体部２の側面部の上部に嵌入されて防雨構造とされる。なお、蓋部３を閉じた際には、上記当接部が本体部２の側面部の上端に当接する。本体部２における下側に位置する側面部には複数の第１通風口１１が形成されており、電子回路ユニット３１から突出している同軸端子１４が、この側面部から突出している。トレイ部６には、図示するように左側と右側にそれぞれケーブル導入孔１３ａ、１３ｂから導入された光ケーブルを固着するケーブル挟着部４０が形成されている。このケーブル挟着部４０は鋸歯状の突起が相対向して２組形成されており、この間にメッセンジャワイヤーや複数本の光ファイバーを束ねた太い光ケーブル４ａを挟み込むことにより光ケーブル４ａを固着することができる。また、細い光ケーブル４ｂは２組形成されているケーブル挟着部４０の間にケーブルをブッシュに挟着した状態で挟持されることにより固着される。
【００１４】
また、トレイ部６にはドラム部４１とドラム部４２の２つの楕円形状のドラム部が形成されていると共に、円弧状に形成されている複数のガイド部４３とガイド部４４が形成されている。これらのドラム部４１，４２とガイド部４３，４４により余長収納部が形成されている。すなわち、ケーブル導入孔１３ａ、１３ｂから導入された光ケーブル４ａ、４ｂの余長部は、ドラム部４１，４２とガイド部４３，４４に巻き付けられたり沿わせられたりして所定の曲げ半径を保つようにして余長収納部に収納される。この場合、ドラム部４１，４２とガイド部４３，４４から光ケーブル４ａ、４ｂがはずれないように、ドラム部４１，４２とガイド部４３，４４の所定部位にひさし状に張り出す押さえ片が複数形成されている。光ケーブル４ａ、４ｂの余長をドラム部４１，４２とガイド部４３，４４に巻き付ける際に８の字状に巻き付けるようにして、ケーブル導入孔１３ａ、１３ｂから導入した光ケーブル４ａ、４ｂをケーブル導入孔１３ａ、１３ｂから導出して光受信機能を備える他の光端末装置に導入することもできる。さらに、トレイ部６には光ケーブル４ａ、４ｂにおける光ファイバーに装着される装着器を保持する保持部４６が形成されている。さらにまた、光ケーブル４ａ、４ｂの先端に装着されている光コネクタを差し込むコネクタ受部４８が見えているが、このコネクタ受部４８は電子回路ユニット３１に取り付けられている。
【００１５】
次に、本体部２から蓋部３を取り外すと共にトレイ部６を取り去った状態の光端末装置１の構成を示す斜視図を図５に示す。
図５に示すように、本体部２における下側に位置する側面部には複数の第１通風口１１とケーブル導入孔１３ａ、１３ｂが形成されており、電子回路ユニット３１から突出している同軸端子１４が、この側面部から突出している。本体部２における上側に位置する側面部の両側には断面略円形の一対の枢軸１９が突出するよう形成されており、この枢軸１９に蓋部３の上部両側に形成されている保持片２１が嵌着されて枢支されることにより、枢軸１９を回転軸として蓋部３を本体部２に対して開閉することができるようになる。本体部２からトレイ部６を取り去ると、シャーシ３０に取り付けられて収納されている電子回路ユニット３１と電源ユニット３２とが見えるようになる。電子回路ユニット３１には、内部の光受信部に光信号を導くためのコネクタ受部４８が取り付けられており、このコネクタ受部４８に導入された光ケーブルの先端に装着される光コネクタが差し込まれるようになる。電源ユニット３２の上部は両側がカットされて、シャーシ３０と底面部２ｅとで形成される通路を第３通風口２０に通じさせている。
【００１６】
次に、トレイ部６にケーブル導入孔１３ａ、１３ｂから導入された光ケーブル４ａ、４ｂの余長部を収納する構成について図６を参照しながら説明する。図６は、光ケーブル４ａ、４ｂの余長部を収納する余長収納部が形成されているトレイ部６の構成を示す平面図である。
トレイ部６にはドラム部４１とドラム部４２の２つの楕円形状のドラム部と、円弧状に形成されている複数のガイド部４３とガイド部４４とからなる余長収納部が形成されている。ケーブル導入孔１３ａから導入された光ケーブル４ａ、４ｂはケーブル挟着部４０で挟持されて固着され保持部４６を介してガイド部４３に沿って曲げられ、次いで余長収納部における最外側のガイド部に沿って曲げられて所定回数だけ余長収納部に巻回される。そして、他の光ケーブルと接続されている部位等に装着されている装着器４７が保持部４６に挟着されて保持される。接続された光ケーブルの先端には光コネクタ４５が装着されており、この光コネクタ４５が電子回路ユニット３１におけるコネクタ受部４８に差し込まれて装着される。これにより、導入された光ケーブル４ａを伝播してきた光信号が電子回路ユニット３１で受光されるようになる。電子回路ユニット３１では、受光した光信号を電気信号に変換して所定レベルになるよう増幅し、同軸端子１４から出力する。このようにして、光端末装置１に導入された光ケーブルの余長は内蔵されるトレイ部６に形成されている余長収納部に収納されるようになる。
【００１７】
次に、光端末装置１のトレイ部６に形成されている保持部４６の詳細構成を拡大して示す斜視図を図７に示し、その断面図を図８に示す。保持部４６に保持される装着器４７は光ケーブル同士の端面を合わせて融着した融着部や挿入された光フィルタを保護する保護スリーブ、あるいは、光ケーブル同士の端面を位置合わせした状態で固定する細長い形状のメカニカルスプライスであり、保持部４６に保護スリーブ４７ａ、４７ｂを保持した構成を示す斜視図を図９に、その断面図を図１０に示す。
これらの図に示すように保護スリーブ等の装着器４７を保持することのできる保持部４６は、図４および図６に示すようにトレイ部６の右側に設けられており、複数の保護スリーブ等の装着器４７をトレイ部６に保持して固着できる構成とされている。保持部４６は、第１保持片４６ｂと第２保持片４６ｃを備え、第１保持片４６ｂと第２保持片４６ｃとの間に平板状の中央壁部４６ａが形成されている。第１保持片４６ｂおよび第２保持片４６ｃは線対称の形状とされていることから、その代表として第１保持片４６ｂの構成について説明する。第１保持片４６ｂは、中央壁部４６ａと対面して平板を弓形の形状に屈曲した形状とされており、切欠部４６ｄの間に形成されている支持部４６ｅによりトレイ部６に弾性的に支持されている。第１保持片４６ｂにおける支持部４６ｅの両側には、端部に行くほど中央壁部４６ａとの間隔が狭くなる翼片４６ｆがそれぞれ形成されている。この翼片４６ｆの中央壁部４６ａと対面する面は、図８に示すように下に行くほど中央壁部４６ａとの間隔が広くなるように傾斜して形成されている。
【００１８】
このような構成の保持部４６に、図９および図１０に示すように２つの保護スリーブ４７ａ、４７ｂを保持することができる。保護スリーブ４７ａは光ファイバ４ｃと光ファイバ４ｃ’との境界部に装着されており、その内部には光ファイバ４ｃと光ファイバ４ｃ’との融着部あるいは光フィルタが収納されている。そして、保護スリーブ４７ｂは光ファイバ４ｄと光ファイバ４ｄ’との境界部に装着されており、その内部には光ファイバ４ｄと光ファイバ４ｄ’との融着部あるいは光フィルタが収納されている。保護スリーブ４７ａは中央壁部４６ａと第１保持片４６ｂとの間に挟持されて保持され、保護スリーブ４７ｂは中央壁部４６ａと第２保持片４６ｃとの間に挟持されて保持されている。この場合、支持部４６ｅにより第１保持片６ｂが弾性的にトレイ部６に支持されていると共に、中央壁部４６ａに対面する翼片４６ｆの面が端部および上に行くほど中央壁部４６ａに近づいて形成されていることから図１０に示すように保護スリーブ４７ａが翼片４６ｆの両端部により十分な押圧力で押圧されて、保護スリーブ４７ａをトレイ部６の下面と中央壁部４６ａに当接させて保持することができる。これにより、保持部４６により確実に保護スリーブ４７ａを保持することができる。第２保持片４６ｃと中央壁部４６ａとの間に挟持されて保持されている保護スリーブ４７ｂも同様である。
【００１９】
次に、保持部の他の実施例の構成を図１１に示す。
図１１に示す保護スリーブ４７ａ、４７ｂ等の装着器４７を保持する保持部１４６は、複数の保護スリーブをトレイ部６に保持して固着できる構成とされている。保持部１４６は、第１保持片１４６ｂと第２保持片１４６ｃを備え、第１保持片１４６ｂと第２保持片１４６ｃとの間に平板状の中央壁部１４６ａが形成されている。第１保持片１４６ｂおよび第２保持片１４６ｃは線対称の形状とされていることから、その代表として第１保持片１４６ｂの構成について説明する。第１保持片１４６ｂは、中央壁部１４６ａと対面する平板状に形成されており、その両端部には中央壁部１４６ａ側へ屈曲した屈曲片１４６ｆが形成されている。この第１保持片１４６ｂは、切欠部１４６ｄの間に形成されている支持部１４６ｅによりトレイ部６に弾性的に支持されている。
【００２０】
このような構成の保持部１４６に、２つの保護スリーブ４７ａ、４７ｂを保持することができる。この場合、保護スリーブ４７ａは中央壁部１４６ａと第１保持片１４６ｂとの間に挟持されて保持され、保護スリーブ４７ｂは中央壁部１４６ａと第２保持片１４６ｃとの間に挟持されて保持される。そして、支持部１４６ｅにより第１保持片１４６ｂが弾性的にトレイ部６に支持されていると共に、両端部に形成されている屈曲片１４６ｆにより十分な押圧力で押圧されて、保護スリーブ４７ａを中央壁部１４６ａに当接させて保持することができる。これにより、保持部１４６により確実に保護スリーブ４７ａを保持することができる。第２保持片１４６ｃと中央壁部１４６ａとの間に挟持されて保持されている保護スリーブ４７ｂも同様である。
【００２１】
次に、保持部のさらに他の実施例の構成を図１２に示す。
図１２に示す保護スリーブ４７ａ、４７ｂ等の装着器４７を保持する保持部２４６は、複数の保護スリーブをトレイ部６に保持して固着できる構成とされている。保持部２４６は、第１保持片２４６ｂと第２保持片２４６ｃを備え、第１保持片２４６ｂと第２保持片２４６ｃとの間に平板状の中央壁部２４６ａが形成されている。第１保持片２４６ｂおよび第２保持片２４６ｃは線対称の形状とされていることから、その代表として第１保持片２４６ｂの構成について説明する。第１保持片２４６ｂは、中央壁部２４６ａと対面する平板状に形成されており、その両端部には中央壁部２４６ａ側へ屈曲した屈曲片２４６ｆが形成されている。この屈曲片２４６ｆは下に行くほど中央壁部２４６ａとの間隔が広がるようにくさび状の形状とされている。この第１保持片２４６ｂは、切欠部２４６ｄの間に形成されている支持部２４６ｅによりトレイ部６に弾性的に支持されている。
【００２２】
このような構成の保持部２４６に、２つの保護スリーブ４７ａ、４７ｂを保持することができる。この場合、保護スリーブ４７ａは中央壁部２４６ａと第１保持片２４６ｂとの間に挟持されて保持され、保護スリーブ４７ｂは中央壁部２４６ａと第２保持片２４６ｃとの間に挟持されて保持される。そして、支持部２４６ｅにより第１保持片２４６ｂが弾性的にトレイ部６に支持されていると共に、両端部に形成されている屈曲片２４６ｆがくさび状の形状とされていることから屈曲片２４６ｆにより十分な押圧力で押圧されると共に、保護スリーブ４７ａをトレイ部６の下面と中央壁部２４６ａに当接させて保持することができる。これにより、保持部２４６により確実に保護スリーブ４７ａを保持することができる。第２保持片２４６ｃと中央壁部２４６ａとの間に挟持されて保持されている保護スリーブ４７ｂも同様である。
【００２３】
次に、保持部のさらに他の実施例の構成を図１３に示す。
図１３に示す保護スリーブ４７ａ、４７ｂ等の装着器４７を保持する保持部３４６は、複数の保護スリーブをトレイ部６に保持して固着できる構成とされている。保持部３４６は、第１保持片３４６ｂと第２保持片３４６ｃを備え、第１保持片３４６ｂと第２保持片３４６ｃとの間に平板状の中央壁部３４６ａが形成されている。第１保持片３４６ｂおよび第２保持片３４６ｃは線対称の形状とされていることから、その代表として第１保持片３４６ｂの構成について説明する。第１保持片３４６ｂは、中央壁部３４６ａと対面する平板状に形成されており、その両端部には中央壁部３４６ａ側へ屈曲した屈曲片３４６ｆが形成されている。第１保持片３４６ｂの中央壁部３４６ａと対面する部位は、屈曲片３４６ｆに向かって下部が上に傾斜して端に行くほど幅が狭くなる形状とされている。この第１保持片３４６ｂは、切欠部３４６ｄの間に形成されている支持部３４６ｅによりトレイ部６に弾性的に支持されている。
【００２４】
このような構成の保持部３４６に、２つの保護スリーブ４７ａ、４７ｂを保持することができる。この場合、保護スリーブ４７ａは中央壁部３４６ａと第１保持片３４６ｂとの間に挟持されて保持され、保護スリーブ４７ｂは中央壁部３４６ａと第２保持片３４６ｃとの間に挟持されて保持される。そして、支持部３４６ｅにより第１保持片３４６ｂが弾性的にトレイ部６に支持されていると共に、屈曲片３４６ｆの幅が端に行くほど狭く形成されていることから屈曲片３４６ｆの適度な弾性による十分な押圧力で保護スリーブ４７ａが押圧され、これにより保護スリーブ４７ａが中央壁部３４６ａに当接されて確実に保持されるようになる。第２保持片３４６ｃと中央壁部３４６ａとの間に挟持されて保持されている保護スリーブ４７ｂも同様である。
【００２５】
次に、光端末装置１の本体部２の詳細構成を示す斜視図を図１４に示す。
図１４に示すように、本体部２は箱状の形状とされており、設置された際に下側に位置する第１側面部２ａと、向かって右側に位置する第２側面部２ｂと、設置された際に上側に位置する第３側面部２ｃと、向かって左側に位置する第４側面部２ｄと、底面部２ｅとを備えている。第１側面部２ａには、同軸端子１４を導出するための同軸端子孔１４ａが予備も含めて３つ形成されており、その先端部には複数の第１通風口１１と２つのケーブル導入孔１３ａ、１３ｂとが形成されている。また、図示されていないが第１側面部２ａの底面部２ｅとの境界部に複数の第２通風口１２が形成されている。第２側面部２ｂと第４側面部２ｄとは面対称のほぼ同様の形状とされており、蓋部３の嵌入縁３ｅが嵌入される構造とされている。第３側面部２ｃには、両側に一対の枢軸１９が突出するよう形成されている。これらの第１側面部２ａないし第４側面部２ｄの内側にはシャーシ３０の周縁を受けるリブが形成されている。
【００２６】
底面部２ｅには第１側面部２ａとの境界部に３つの底面通風口１６が形成されている。また、底面部２ｅには内側に向かって第２側面部２ｂおよび第４側面部２ｄに略平行な一対の立設片１８が形成されており、立設片１８の間に多数の放熱孔１７が形成されている。この放熱孔１７により外気が侵入してシャーシ３０を冷却し、上側の第３通風口２０などから排気されるようになる。一対の立設片１８にはシャーシ３０の裏面が当接されるか、あるいは若干の間隔を持って対面して、シャーシ３０の裏面と底面部２ｅの内面とで底面通風口１６に通じる放熱用の通路が形成される。なお、一対の立設片１８は放熱孔１７から雨水が浸入した場合にそれ以上内部に浸入させない機能を奏する。
【産業上の利用可能性】
【００２７】
以上の説明では、光端末装置は光受信部を備えるものとしたが、本発明はこれに限るものではなく光ケーブルの余長部を収納する余長収納装置に適用することができる。
【図面の簡単な説明】
【００２８】
【図１】本発明にかかる光端末装置の実施例の構成を示す斜視図である。
【図２】本発明にかかる光端末装置の実施例の構成を断面図で示す側面図ある。
【図３】本発明にかかる光端末装置の本体部における底面部の上部を一部切り欠いた際の構成を示す斜視図である。
【図４】本発明にかかる光端末装置において本体部に対して蓋部を開けた状態の構成を示す斜視図である。
【図５】本発明にかかる光端末装置において本体部から蓋部を取り外すと共にトレイ部を取り去った状態の構成を示す斜視図である。
【図６】本発明にかかる光端末装置において余長収納部に光ケーブルの余長が収納されたトレイ部の構成を示す平面図である。
【図７】本発明にかかる光端末装置におけるトレイ部に形成されている保持部の詳細構成を拡大して示す斜視図である。
【図８】本発明にかかる光端末装置におけるトレイ部に形成されている保持部の詳細構成を拡大して示す断面図である。
【図９】本発明にかかる光端末装置におけるトレイ部に形成されている保持部により保護スリーブを保持する構成を拡大して示す斜視図である。
【図１０】本発明にかかる光端末装置におけるトレイ部に形成されている保持部により保護スリーブを保持する構成を拡大して示す断面図である。
【図１１】本発明にかかる光端末装置におけるトレイ部に形成されている他の保持部の詳細構成を拡大して示す斜視図である。
【図１２】本発明にかかる光端末装置におけるトレイ部に形成されているさらに他の保持部の詳細構成を拡大して示す斜視図である。
【図１３】本発明にかかる光端末装置におけるトレイ部に形成されているさらに他の保持部の詳細構成を拡大して示す斜視図である。
【図１４】本発明にかかる光端末装置における本体部の詳細構成を示す斜視図である。
【符号の説明】
【００２９】
１  光端末装置、２  本体部、２ａ  第１側面部、２ｂ  第２側面部、２ｃ  第３側面部、２ｄ  第４側面部、２ｅ  底面部、３  蓋部、３ｅ  嵌入縁、４ａ  光ケーブル、４ｂ  光ケーブル、４ｃ  光ファイバ、４ｄ  光ファイバ、５  電源ケーブル、６  トレイ部、６ａ  挿入孔、１１  第１通風口、１２  第２通風口、１３ａ，１３ｂ  ケーブル導入孔、１４  同軸端子、１４ａ  同軸端子孔、１５ａ  取付片、１５ｂ  取付片、１６  底面通風口、１７  放熱孔、１８  立設片、１９  枢軸、２０  第３通風口、２１  保持片、３０  シャーシ、３１  電子回路ユニット、３２  電源ユニット、４０  ケーブル挟着部、４１  ドラム部、４２  ドラム部、４３  ガイド部、４４  ガイド部、４５  光コネクタ、４６  保持部、４６ａ  中央壁部、４６ｂ  第１保持片、４６ｃ  第２保持片、４６ｄ  切欠部、４６ｅ  支持部、４６ｆ  翼片、４７  装着器、４７ａ  保護スリーブ、４７ｂ  保護スリーブ、４８  コネクタ受部、１４６  保持部、１４６ａ  中央壁部、１４６ｂ  第１保持片、１４６ｃ  第２保持片、１４６ｄ  切欠部、１４６ｅ  支持部、１４６ｆ  屈曲片、２４６  保持部、２４６ａ  中央壁部、２４６ｂ  第１保持片、２４６ｃ  第２保持片、２４６ｄ  切欠部、２４６ｅ  支持部、２４６ｆ  屈曲片、３４６  保持部、３４６ａ  中央壁部、３４６ｂ  第１保持片、３４６ｃ  第２保持片、３４６ｄ  切欠部、３４６ｅ  支持部、３４６ｆ  屈曲片
【図１】
2005189438.tif 000003
【図２】
2005189438.tif 000004
【図３】
2005189438.tif 000005
【図４】
2005189438.tif 000006
【図５】
2005189438.tif 000007
【図６】
2005189438.tif 000008
【図７】
2005189438.tif 000009
【図８】
2005189438.tif 000010
【図９】
2005189438.tif 000011
【図１０】
2005189438.tif 000012
【図１１】
2005189438.tif 000013
【図１２】
2005189438.tif 000014
【図１３】
2005189438.tif 000015
【図１４】
2005189438.tif 000016